(57)【要約】運転が正常に終了したのか、運転開始がされなかったのかを、ユーザが容易に判別できるようにした遠心機を提供する。遠心運転条件の入力と遠心運転状態が表示可能な設定画面７０Ａを有する遠心機において、制御装置は、設定運転時間、設定運転時間、設定温度に従ってロータの遠心分離運転を行う。遠心分離運転が終了してロータが停止したら、制御装置は設定画面７０Ａ内に経過時間表示欄７１を設けて、モータが停止してからの時間をカウントし、遠心分離運転終了後の経過時間７３を表示する。
2021131216.tif 000002
【特許請求の範囲】
【請求項１】
ロータと、
前記ロータを回転駆動するモータと、
ユーザが前記ロータの設定運転時間、前記モータの駆動開始指示を入力可能で、前記モータの運転状態を表示可能な入出力手段と、
前記駆動開始指示が前記入出力手段に入力されると前記モータの駆動を開始し、前記モータの駆動を制御する制御部と、
前記制御部は、前記入出力手段によって入力された前記設定運転時間の遠心分離を行う経過後に前記モータを停止させる遠心機において、
前記制御部は、前記設定運転時間の経過後に時間のカウントを開始し、そのカウント時間を前記入出力手段に表示することを特徴とする遠心機。
【請求項２】
前記制御部は、前記時間のカウント中にユーザによる前記入出力手段の操作を検出すると、前記入出力手段による前記カウント時間の表示を消去するか、又は、前記時間のカウントを停止することを特徴とする請求項１に記載の遠心機。
【請求項３】
前記ロータは、一定回転速度による前記設定運転時間の運転が終了した後に減速して停止し、
前記制御部は、前記ロータが停止してから前記時間のカウントを開始することを特徴とする請求項１に記載の遠心機。
【請求項４】
前記入出力手段はタッチ式のドットマトリクスディスプレイであって、前記ロータの設定運転時間、設定回転速度、前記ロータの設定温度を表示し、
前記制御部は、前記表示の内容に追加するか、前記表示の画面に重畳するようにして前記カウント時間を表示することを特徴とする請求項１から３のいずれか一項に記載の遠心機。
【請求項５】
前記入出力手段はセグメント方式の表示装置と、前記表示装置の表示内容を可変させる操作入力部の組み合わせであって、
前記表示装置には前記ロータの設定運転時間の表示欄が設けられ、
前記設定運転時間の経過後の前記時間のカウントは、前記設定運転時間の欄を通常とは異なる表示態様にてカウントアップ表示することによりおこなうことを特徴とする請求項１から３のいずれか一項に記載の遠心機。
【請求項６】
前記制御部は記憶部を有し、前記制御部は前記モータが停止した終了時刻を前記記憶部に記憶し、前記記憶部に記憶した前記終了時刻を前記入出力手段に表示することができることを特徴とする請求項１から５のいずれか一項に記載の遠心機。
【請求項７】
前記ロータを収容するボウルを有し、前記ボウルの上側開口部は開閉式のドアによって閉鎖されることによりロータ室が形成され、
前記ボウルを冷却する冷却装置を設け、
前記制御部は、前記時間のカウント及び前記カウント時間の前記入出力手段への表示をしている最中にも前記冷却装置を稼働させて前記ロータ室の温度を設定温度に維持することを特徴とする請求項４に記載の遠心機。
【請求項８】
携帯端末と通信可能な通信手段をさらに備え、
前記制御部は、前記通信手段を介して外部の携帯端末に前記カウント時間を送信して表示させることを特徴とする請求項１から６のいずれか一項に記載の遠心機。
【請求項９】
前記ロータを収納し、前記ロータを出し入れするための開口部を有するロータ室と、前記開口部を開閉するドアと、を有し、
前記ドアが開かれると、前記制御部は前記入出力手段への前記カウント時間の表示を停止させることを特徴とする請求項１に記載の遠心機。
【発明の詳細な説明】
【技術分野】
【０００１】
本発明は、遠心分離運転の終了後の経過時間がひと目で確認できるようにした遠心機に関する。
【背景技術】
【０００２】
遠心機（遠心分離機）は分離するサンプルに合わせて、ユーザが回転数、運転時間（分離時間）、保持温度、加速勾配、減速勾配等の運転条件を設定して使用する。このため遠心機には設定した条件や実際の状態を表示させる表示部が設けられる。これらの表示は従来、７セグメントＬＥＤを用いて構成するものから、タッチ液晶式のディスプレイを用いるものまで製品化され、遠心機の使い勝手を向上させるための様々な工夫が施されている。例えば特許文献１では、条件設定時および加速、減速時にはその遠心機が持つ機能がわかるよう多くの情報を表示し、加速、減速時間に比べ一般的に時間が長く、使用者が離れがちな回転整定中は遠心分離に必用な情報のみを表示する遠心機が開示されている。また、特許文献２には、表示部にプログラム運転状況を折れ線グラフで表示すると共に、ロータの回転が停止する到達予想時間が表示される。
【先行技術文献】
【特許文献】
【０００３】
【特許文献１】特開２０００−３０１０２９号公報
【特許文献２】特開２０１５−１１６５４１号公報
【発明の概要】
【発明が解決しようとする課題】
【０００４】
特許文献１のように、ユーザが遠心機から離れがちな整定中は、遠心機に必要な情報「設定回転速度」「設定温度」「設定時間」のみを表示するが、ユーザが運転開始の操作をしたか否かの判断は整定中であれば確認可能だが、運転終了時は初期操作画面に戻ってしまうため、遠心運転が終了している状態なのか、そもそも遠心運転の実行をしていなかったかの判断が画面上でできなかった。一方、特許文献２では、運転状況を示す折れ線グラフにおいて、運転が完了した部分はハッチングにて強調表示され、現在進行中の位置を示すインジケータが矢印にて表示されるので、状況を容易に確認することができる。しかしながら、特許文献２の技術を用いるためには、精細度の高いディスプレイを用いる必要がある。さらに、遠心機にリアルタイムクロック（RTC:real-time clock）を用いて、システムの電源が切られていてもバッテリバックアップなどにより「時刻」を刻み続ける必要があり、簡易な構成の遠心機に採用するには製造コストの上昇が避けられなかった。【０００５】
本発明は上記背景に鑑みてなされたもので、その目的は、遠心機の運転を開始した直後にユーザが遠心機から離れ、その後戻った時に運転が停止していた場合に、遠心機の運転が正常に終了したのか、運転開始がされなかったのかを、ユーザが容易に判別できるようにした遠心機を提供することにある。
本発明の他の目的は、遠心機の内蔵タイマーを利用して、リアルタイムクロックを実装することなく運転終了後の経過時間がひと目で判るような機能を設けた遠心機を提供することにある。
本発明のさらに他の目的は、運転終了後にロータを取り出さずに長時間放置した場合であっても、ユーザが再度の運転が必要か否かを即座に判断できるようした遠心機を提供することにある。
【課題を解決するための手段】
【０００６】
本願において開示される発明のうち代表的な特徴を説明すれば次のとおりである。
本発明の一つの特徴によれば、ロータと、ロータを回転駆動するモータと、ユーザがロータの設定運転時間、モータの駆動開始指示を入力可能で、モータの運転状態を表示可能な入出力手段と、駆動開始指示が入出力手段に入力されるとモータの駆動を開始するよう制御する、モータの駆動を制御する制御部と、を有し、制御部は入出力手段によって入力された設定運転時間の遠心分離を行う経過後にモータを停止させるようにした遠心機において、制御部は、設定運転時間の経過後に時間のカウントを開始し、そのカウント時間を入出力手段に表示するように構成した。また、制御部は時間のカウント中にユーザによる入出力手段の操作を検出すると、入出力手段によるカウント時間の表示を消去するか、又は、時間のカウントを停止する。さらに、ロータは、一定回転速度による設定運転時間の運転が終了した後に減速して停止し、制御部は、ロータが停止してから時間のカウントを開始する。【０００７】
本発明の他の特徴によれば、入出力手段はタッチ式のドットマトリクスディスプレイであって、ロータの設定運転時間、設定回転速度、ロータ（又はロータ室）の設定温度を表示し、制御部は、表示の内容に追加するか、表示の画面に重畳するようにしてカウント時間を表示する。また、入出力手段はセグメント方式の表示装置と、表示装置の表示内容を可変させる操作入力部の組み合わせであって、表示装置にはロータの設定運転時間の表示欄が設けられ、設定運転時間の経過後の時間のカウントは、設定運転時間の欄を通常とは異なる表示態様にてカウントアップ表示する。さらに、制御部は記憶部を有し、制御部はモータが停止した終了時刻を記憶部に記憶し、記憶部に記憶した終了時刻を入出力手段に表示する。【０００８】
本発明のさらに他の特徴によれば、ロータを収容するボウルを有し、ボウルの上側開口部は開閉式のドアによって閉鎖されることによりロータ室が形成され、ボウルを冷却する冷却装置を設け、制御部は、時間のカウント及びカウント時間の入出力手段への表示をしている最中にも冷却装置を稼働させてロータ室の温度を設定温度に維持する。また、携帯端末と通信可能な通信手段をさらに備え、制御部は、通信手段を介して外部の携帯端末にカウント時間を送信して表示させるようにした。さらに遠心機は、ロータ室の開口部を開閉するドアが開かれるたら、制御部は入出力手段によるカウント時間の表示を停止させるように構成した。
【発明の効果】
【０００９】
本発明によれば、上記方法により、リアルタイムクロックを実装することなく安価に運転終了を判断できるように構成し、かつ運転終了後の経過時間がひと目で確認できるようにしたため、遠心機の使い勝手を大幅に向上させることができた。
【図面の簡単な説明】
【００１０】
【図１】本発明の実施例に係る遠心機１の全体構成を示す断面図である。
【図２】本発明の実施例に係る遠心機１の制御手順を示すフローチャートである。
【図３】本発明の実施例に係る操作パネル１０の設定画面５０を示す図である。
【図４】本発明の実施例に係る操作パネル１０の表示画面５０Ａを示す図である。
【図５】本発明の実施例に係る操作パネル１０の通知画面７０を示す図である。
【図６】本発明の実施例に係る操作パネル１０の通知画面７０Ａを示す図である（その４）。
【図７】本発明の実施例に係る操作パネル１０の通知画面７０Ａ消去後の設定画面５０Ｂを示す図である。
【図８】図１の制御装置８の概略ブロック図である。
【図９】遠心機１から携帯通信端末３００に情報を送信している状態を示す図である。
【図１０】図９の携帯通信端末３００の画面３０１の表示例である。
【発明を実施するための形態】
【実施例１】
【００１１】
以下、本発明の実施例を図面に基づいて説明する。なお、以下の図において、同一の部分には同一の符号を付し、繰り返しの説明は省略する。また、本明細書においては、前後、上下の方向は図中に示す方向であるとして説明する。【００１２】
図１は本発明の実施例に係る遠心機１の全体構造を示す断面図である。遠心機１は、箱形の板金などで製作される筐体２の内部に金属製の薄板で形成されたボウル３が設けられ、ボウル３とドア７によって回転室４が画定される。筐体２の底部には脚部１１が設けられる。ドア７は回転室４の開口部を密閉するもので、筐体の一部に設けられる蝶番（図示せず）を中心軸にして上下方向に回動させることができる。ロータ５は分離する試料を保持し高速回転するものであり、モータ６の回転軸６ａに装着される。モータ６は、商用交流電源を用いて駆動される交流モータ、又は、インバータ制御のブラシレスモータであり、ダンパ１２を介してモータ６は筐体２の仕切り板２ａに保持される。【００１３】
ドア７の右側方には、使用者がロータの回転速度や分離時間等の条件を入力すると共に、各種情報を表示する操作パネル１０が配置される。操作パネル１０は、遠心機に必要な制御情報を入力するための入力部となるものである。本実施例では、いわゆるタッチパネル方式の液晶ディスプレイを用いることにより、操作者に対して必要な情報を表示するための表示部としての機能も果たす。尚、操作パネル１０はタッチパネル方式の液晶ディスプレイだけでなく、その他のドットマトリクス方式の入出力装置で構成しても良い。また、その他の公知の表示装置と公知の入力装置の組み合わせで構成しても良い。【００１４】
回転室４は、上側の開口部がドア７によって密閉可能に構成され、ドア７を開けた状態で回転室４の内部に、ロータ５を装着又は取り外しができる。ロータ５は、遠心分離を行う試料やそれを保持するサンプル容器に合わせて適宜選択され、モータ６の回転軸６ａに装着される。制御装置８は遠心機１の全体を制御するもので、操作パネル１０から入力される遠心分離運転のための各種情報に従って、モータ６の回転制御、冷却装置９の運転制御等を行う。【００１５】
ロータ５の温度は、回転室４に設置される図示しない温度センサにより測定される。温度センサを設ける位置は種々考えられるが、本実施例ではボウル３の底部に設けられる。温度センサの出力は制御装置８にて監視され、制御装置８は回転室４の温度をユーザによって入力された設定温度に保つように冷却装置９を稼働させる。【００１６】
ボウル３はステンレス等の金属合金製であり、その外周には図示しない銅パイプが螺旋状に巻かれる。銅パイプは冷却装置９の一部を構成するものであって、冷却装置９に含まれる圧縮機９ａから銅パイプ９ｃ通って冷媒が凝縮機９ｂに送られ、凝縮機９ｂ及び図示しないファンによって、冷却された冷媒は液化する。液化した冷媒は図示しないキャピラリを通って銅パイプ９ｄに供給され、ボウル３の外周部に巻かれた部分において、ボウル３の表面の熱を急激に奪うことによって回転室４の内部を冷却する。ボウル３の熱を奪って気化した冷媒は、銅パイプ９ｅを通って圧縮機９ａに戻る。このようにして回転室４の内部は、制御装置８の冷却装置９に対する制御によって設定された所望の温度に一定に保たれる。【００１７】
図２は、本実施例の遠心機１の制御手順を示すフローチャートである。図２に示す一連の手順は、制御装置８にあらかじめ格納されたプログラムによってソフトウェア的に実行可能である。最初にユーザは、遠心分離対象を収容したロータ５を回転室４内にセットして、ドア７を閉めて、操作パネル１０から遠心分離運転のための各種情報を入力する（ステップ２１）。この各種情報とは、ロータ５の設定回転速度、設定温度、運転時間、加速度、減速度等である。図１に示した遠心機１は、真空装置を有していないが、真空装置付きの遠心機の場合は、回転室４内の真空度を設定する。ここで、図３を用いて操作パネル１０に表示される遠心分離運転のための各種情報の設定画面５０を説明する。【００１８】
図３は、ステップ２１における操作パネル１０における設定画面５０を示す図である。この表示画面は、遠心機１の運転条件を設定した直後（スタートボタンを押す前）の状態である。設定画面５０は、遠心機１の運転状態と運転条件（設定値）を表示するもので、その画面中には、遠心機の運転条件である回転速度表示領域５１、運転時間表示領域５４、温度表示領域５７が設けられる。これら領域の周囲には、回転室４にセットされたロータ５の種類を表すロータ種別表示部６０、ロータ５の加速度合いを示すＡＣＣＥＬ表示部６１、ロータ５の減速度合いを示すＤＥＣＥＬ表示部６２が設けられる。設定画面５０の下側の右側部分には、遠心分離動作の開始を指示するためにアイコンとして表示されるスタートボタン６３、ドア７を開くためのオープンボタン６４が表示される。【００１９】
回転速度表示領域５１はロータ５の回転速度に関する情報を表示するもので、中央の大きな数字“０”は、ロータ５の現在の回転速度５２を示し、その下側の“ＳＥＴ ”に続く数字が設定（ＳＥＴ）された設定回転速度５３である。図３の例では遠心分離を行うための設定回転速度５３として、毎分１８，０００回転（ｒｐｍ）がセットされている。ユーザが回転速度表示領域５１の枠内を指でタッチすると、図示しないテンキー画面がポップアップ表示されるので、使用者はテンキーを操作することにより設定回転速度５３を設定できる。【００２０】
運転時間表示領域５４はロータ５の運転時間に関する情報を表示するもので、中央の大きな数字は、ロータ５を設定回転速度５３で運転された実際の運転時間（経過時間）５５であり、時、分の単位で表示される。図３では遠心分離を行う前の状態であってロータ５はまだ回転していないので、運転時間５５は００分００秒の表示である。運転時間５５は、制御装置８のマイコンに含まれるタイマー機能を用いて自動的にカウントされ、表示される。運転時間５５の下側の“ＳＥＴ ”に続く数字は、使用者によって入力された遠心分離を行う時間たる設定運転時間５６であり、図３の例では遠心分離を行うための時間として、２５分００秒が設定された状態を示している。回転速度表示領域５１と同様に、ユーザが指で運転時間表示領域５４の枠内をタッチすると、テンキー画面（図示せず）がポップアップ表示され、使用者がテンキーを操作することにより運転時間を設定できる。【００２１】
温度表示領域５７は回転室４の内部の温度に関する情報を表示するもので、中央の大きな文字は、回転室４の現在の温度５８であり、その下側の“ＳＥＴ ”に続く数字が、遠心分離を行う際に保持すべきロータ５の設定温度５９である。図３では、現在の温度５８が２０．０℃であり、設定された設定温度が４．０℃であることを示している。回転速度表示領域５１と同様に、ユーザが指で温度表示領域５７の枠内をタッチすると、テンキー画面（図示せず）がポップアップ表示され、使用者がテンキーを操作することにより運転時間を設定できる。【００２２】
ロータ種別表示部６０は、運転するロータ５の型名の表示であり、図３ではロータ５の型番である“ＴＡ１８Ａ４１”が表示される。ロータ５の設定は、使用者がロータ種別表示部６０の部分をタッチして、図示しないロータ一覧画面を表示させて、その一覧中から選択するように構成しても良いし、ロータ５自体に情報を持たせて、ロータ５が遠心機１にセットされたら、遠心機１側で自動的にロータ型番を識別するようにしても良い。ロータ型番の自動識別の方法は、ロータに光学式あるいは磁気式のＩＤコードを付けても良いし、その他公知の識別方法を用いれば良いので、ここでの説明は省略する。【００２３】
スタートボタン６３は遠心機１の運転を開始させるボタンで、スタートボタン６３にタッチすると制御装置８は、ロータ５を回転速度表示領域５１で設定された設定回転速度５３まで加速させて、ロータ５を設定回転速度５３で回転（整定）させる。オープンボタン６４は遠心機１のドア７を開くためのボタンで、オープンボタン６４にタッチするとドア７の図示しないロック機構が解除される。【００２４】
再び図２に戻る。ステップ２１において遠心分離運転のための各種情報の入力が終了したら、ユーザは操作パネル１０からスタートボタン６３（図３参照）を操作することによって遠心分離運転を開始する（ステップ２２）。遠心分離運転手順は、例えば、ロータ５の加速−整定−減速を含むが、これらの運転制御手順は従来の遠心機と同じである。制御装置８は、遠心分離運転が終了したらステップ２４に進み、終了していなかったらステップ２２に戻る（ステップ２３）。ここで、遠心分離運転が終了してロータ５が減速している際に操作パネル１０に表示される表示画面５０Ａを図４にて示す。【００２５】
図４では図３で示した設定画面５０のうち、必要な情報だけ、即ち、回転速度表示領域５１、運転時間表示領域５４、温度表示領域５７の３つの表示領域だけが表示される。ロータ５は減速している最中であるので、表示画面５０Ａにはスタートボタン６３（図３参照）とオープンボタン６４（図３参照）は表示されない。ここでは、ロータ５の現在の回転速度５２が３００ｒｐｍまで減速されていることを示し、経過した運転時間５５が００分００秒の表示である。ここで運転時間５５は、遠心分離運転中にはカウントアップまたはアウンダウンされるが、図４で示す状態では遠心分離運転が終了してロータ５が整定回転数（１８，０００ｒｐｍ）から減速中であるので、ゼロに到達又はゼロクリアされている。遠心分離運転の終了後も冷却装置９は継続して稼動しており、回転室４内は一定に保たれるため、回転室４の現在温度５８は４．０℃であって、設定温度５９と等しく保たれる。冷却装置９はドア７を空けた後に停止するように制御装置８によって制御される。【００２６】
再び図２に戻る。ステップ２４以降は、遠心分離運転を終了してロータ５の回転が停止した後の制御である。ステップ２４以降のステップ２５及び２６を実行するための前提として、本実施例の遠心機１においては、「遠心分離運転終了後に、操作パネル１０上に、ユーザに対する特別な運転終了通知を行う」か「行わないか」を予め設定しておくことができるように構成される。この“運転終了通知”をすることは本実施例の特徴的な制御である。事前設定に基づいて制御装置８は、“運転終了通知”の（事前）設定がされているか否かを判定する（ステップ２４）。事前設定がなされている場合は、制御装置８は「運転終了直後の表示画面」を行い、その表示画面中に，遠心分離運転が終了してからの経過時間を表示する（ステップ２５）。事前設定がなされていない場合、即ち、遠心分離運転終了後に運転終了通知を行わないとの設定の場合は、ステップ２４からステップ２７に進む。ここで図５を用いて運転終了直後の通知画面７０を説明する。【００２７】
図５において通知画面７０は、図４のロータ５の停止直前の表示画面５０Ａに、経過時間表示を追加したものである。即ち、通知画面７０の上方に、回転速度表示領域５１、運転時間表示領域５４、温度表示領域５７の３つの表示領域を移動して、その下側に経過時間表示欄７１と、その右側に、時間が経過したことを示す説明文（“ｈａｖｅ  ｐａｓｓｅｄ”）７４を表示するようにした。図５の状態は、図４の表示画面５０Ａから図５の通知画面７０に切り替わった直後を示しているので、経過時間表示欄７１に示される経過時間７３には、“００：００：００”と表示されている。この経過時間７３の上側には、その時間の単位を示す説明（“ＴＩＭＥ ｈ：ｍ：ｓ”）７２が表示される。【００２８】
再び図２に戻る。制御装置８は、ステップ２５にて運転終了を示す通知画面７０を表示したら、使用者による操作パネル１０の何らかの操作（入力）があったか否かを判定し（ステップ２６）、操作がなければステップ２５に戻って、運転終了を示す通知画面７０における経過時間７３（図５参照）の更新をする。「何らかの操作」とは、ユーザが遠心機１の前にいることを確認することができる操作であり、ここではユーザによる操作パネル１０の任意のエリア、例えば、回転速度表示領域５１、運転時間表示領域５４、温度表示領域５７のいずれかの領域に触れる操作を差す。ここで図６を用いて更新後の通知画面７０Ａを説明する。【００２９】
図６で示す例は、図５の表示がされてから１５分放置され、この間にユーザによる操作がされなかった状態を示している。図６の通知画面７０Ａは図５の通知画面７０と一点を除いて同じであり、経過時間７３が図５の“００：００：００”から、図７の“００：１５：００”にカウントアップされている点が異なる。この通知画面７０Ａを見ることによってユーザは、遠心分離運転が終了してから１５分経過していることを即座に判別することができる。尚、図５及び図６においては、通知画面７０、７０Ａをモノクロ表示しているが、操作パネル１０としてカラー表示ができるタッチ入力式のディスプレイ装置を用いる場合は、カラー表示によって遠心分離運転が終了したことを示す態様で表示するようにしても良い。例えば、遠心分離運転が正常終了した場合は、画面全体または特定部位を青系の表示とし、遠心分離運転が異常停止した場合は、画面全体または特定部位を赤系の表示とすることである。さらに、正常終了の場合であっても、経過時間表示欄７１の表示色を、経過時間が０〜１０分未満は緑色、１０〜２０分は黄色、２０分以上は赤色等のように表示態様を変えるように表示しても良い。【００３０】
再び図２に戻る。制御装置８はステップ２６にて使用者による操作パネル１０の操作があった場合は、操作パネル１０の表示を設定画面５０Ｂに戻すことで、本実施例の制御を終了する。ここで図７を用いて、ステップ２６にて表示される設定画面５０Ｂを説明する。図７において設定画面５０Ｂは、図３で示した設定画面５０と一部を除いて同じである。回転速度表示領域５１の表示は、ロータ５の回転が停止しているので回転速度５２は“０”である。運転時間表示領域５４に示される運転時間５５は、図４〜図６と同じ“００：００”のままである。温度表示領域５７に表示される現在の温度５８は、４．０℃のままである。これは回転室４の内部にある遠心分離対象の冷却を続けているため、オープンボタン６４が操作されてドア７の開閉が行われるまで冷却装置９が稼動しているためである。【００３１】
以上説明したように、制御装置８は運転終了直後の通知画面７０に、表示画面５０Ａの内容に加えて、経過時間７３を表示して、それをカウントアップするようにしたので、使用者は操作パネル１０の表示から遠心機１の運転終了状態、特に「運転が終了したか否か」を確実に判断できる。また、経過時間表示欄７１に経過時間７３が具体的に表示され、ユーザが何らかの操作を行うまでその表示が継続されるので、特に痛みやすい遠心分離対象（試料）の場合に、試料の再度の遠心分離の必要性等を容易に判断することができる。
【実施例２】
【００３２】
上述の第一の実施例では、遠心機１の運転終了からの経過時間を操作パネル１０にて表示するようにした。しかしながら、運転終了からの経過時間を操作パネル１０に表示するだけでなく、遠心機に外部の携帯端末と通信可能な通信手段を設けて、制御部が通信手段を介して外部の携帯端末にカウント時間を送信して表示させるように構成しても良い。この第２の実施例を図８〜図１０を用いて説明する。【００３３】
図８は、制御装置８の概略ブロック図である。制御装置８の内部には、データバス（ＢＵＳ）１３０によって接続される中央処理装置１２１、通信インターフェース（Ｉ／Ｆ）１２４、無線ＬＡＮ１２５、ＮＦＣ等の近接通信手段１２６、ＵＳＢインターフェース（Ｉ／Ｆ）１３４、及び記憶装置１２２を有する。制御装置８にはさらに、モータ６を駆動するためのモータ用インバータ１３１と、冷却装置のコンプレッサ１１８を駆動するためのコンプレッサ用インバータ１３２と、冷却装置の冷却ファン１１９を駆動する駆動回路１３５を有し、これらのモータの駆動は中央処理装置１２１によって制御される。制御装置８にはさらに、操作パネル１０、スピーカー１３６、ＬＡＮコネクタ１３８、及び、ＵＳＢコネクタ１３７が接続される。その他、制御装置８の内部には図示しない電源装置、Ａ／Ｄ変換器、Ｄ／Ａ変換器等が含まれるが、図８では本発明に関係する主要部分のみを記載し。その他の構成の図示及び説明は省略する。【００３４】
中央処理装置１２１は遠心機の運転データの生成、運転データの記憶、携帯通信端末３００との通信機能を担うもので、マイクロコンピュータ等を含んで構成される。記憶装置１２２は遠心機１の制御プログラム、設定条件データ、運転データや監査証跡データ等を記憶するためのものであり、公知のハードディスク装置や半導体記憶装置等により構成される。操作パネル１０はタッチパネル式の液晶表示装置で実現された入出力手段であって、ユーザが情報を入力するための入力手段としての機能と、ユーザに対して運転データや各種情報の表示を行うための表示手段としての機能を兼ねる。操作パネル１０はデータバス１３０に接続される。本実施例では操作パネル１０としてタッチパネル式の液晶表示装置を用いるが、これだけに限られずに、操作パネル自体を、中央処理装置付きのＰＤＡ（携帯情報端末）などで実現しても良い。【００３５】
通信インターフェース１２４は、有線によるネットワーク回線を介して外部の装置と通信をするための回路であって、公知のＥｔｈｅｒｎｅｔ（登録商標）などの一般的な通信方式を用いるための回路で、公知のＬＡＮコネクタ１３８によりルーター等の外部機器に接続できる。無線ＬＡＮ１２５は、無線によって外部の接続装置と通信をするための通信手段であって、外部の携帯通信端末３００（例えばスマートフォン等）と接続し、操作パネル１０に表示される情報のすべて又は一部の送受信を行なう。近接通信手段２６は、ブルートゥース（登録商標）やＮＦＣ（近距離無線通信の国際標準規格）、ＢＬＥ（Ｂｌｕｅｔｏｏｔｈ  Ｌｏｗ  Ｅｎｅｒｇｙ）等を使った公知の近接通信手段である。これらの構成によって、遠心機の中央処理装置１２１は、スマートフォンなどの携帯通信端末３００と直接通信をすることができ、図１０に示すように遠心機から携帯通信端末３００に運転が終了した旨のメッセージや、経過時間を送信して表示させることができる。【００３６】
図９は、遠心機１Ａから携帯通信端末３００に情報を送信している状態を示す図である。遠心機１Ａは、筐体２Ａの第一の実施例の筐体２の形状と異なり、操作パネル１０の搭載位置も異なるが、それ以外の内部構成は、同様である。ここでは通信手段を用いて遠心機１Ａの制御装置８は必要な情報を携帯通信端末３００に送信する。携帯通信端末３００側には、遠心機１Ａからの情報を受け取って画面３０１に表示するための専用のアプリケーションソフト（“アプリ”）を予めインストールしておくことにより、受け取った情報のすべて又は一部を表示する。【００３７】
図１０は図９の携帯通信端末３００の画面３０１の表示例を示す図である。携帯通信端末３００を所有するユーザは、遠心機１Ａの近くにいるとは限らず、遠心機１Ａを視認できない場所にいることもある。そのため、遠心機１Ａの運転が終了すると、遠心機１Ａの制御装置８に含まれるマイコンは、運転を終了した旨の情報と、遠心機１Ａの型名と、図３及び図６で示した情報を携帯通信端末３００に送信する。携帯通信端末３００は受け取った情報から必要と思われる情報を抜き出して画面３０１に表示する。図１０はその一例を示す図である。画面３０１には、“遠心分離運転が終了しました”という終了メッセージ３０２と、その下側に必要な情報、即ち、遠心機１Ａの型名３０３（ここでは“ＣＦ１８Ｒ”）と、ロータ型名３０４（ここでは“Ｔ１８Ａ４１”）を表示する。これらのうち少なくても遠心機１Ａの型名３０３（“ＣＦ１８Ｒ”）を表示しないと、ユーザにはどの遠心機に対するメッセージなのかが判別できないためである。【００３８】
尚、ロータ型名３０４の表示は省略しても良いが、ユーザはロータ型名３０４を知らされることによって装着される試料容器のタイプや試料の内容等を識別しやすくなる。運転停止時間３０５は、遠心機の運転が終了したと、遠心機１Ａからのメッセージを受け取った時間である。本実施例の遠心機１、１Ａでは、遠心機にリアルタイムクロックが設けられていない場合もあるが、携帯通信端末３００には必ずリアルタイムクロックが設けられる。よって、携帯通信端末３００が、遠心機１Ａから受け取った経過時間３０６がスタートした情報を受けると、遠心機１Ａの運転停止時間３０５として表示することが可能となる。【００３９】
停止からの経過時間表示欄３０６には、図５、図６の通知画面７０における経過時間７３と同じ時間が表示される。この時間は遠心機１、１Ａから所定間隔毎（例えば１分毎）に送信される。ここでは、遠心分離運転が終了してからの経過時間３０７が１時間１０分２０秒である例を示している。画面３０１の右下には“閉じる”と表示されたアイコン３０８が表示される。携帯通信端末３０の所有者は、アイコン３０８をタッチすることによりこの画面を閉じて元の画面に戻ることができる。また、一度閉じたアプリを再び起動させることで図１０の画面３０１を再び表示させたり、表示履歴を表示させたりすることができる。画面３０１を再び表示する際には、経過時間３０６を再表示する時刻に合わせて更新して表示すると良い。【００４０】
以上、本発明を実施例に基づいて説明したが、本発明は上述の実施例に限定されるものではなく、その趣旨を逸脱しない範囲内で種々の変更が可能である。例えば、上述の実施例では操作パネル１０が入出力機能を有する液晶ディスプレイである場合で説明したが、押しボタンと、４方向スイッチ又はダイヤル等の入力手段と、セグメントＬＥＤを用いた表示機構であっても実現可能である。セグメントＬＥＤを用いる場合は、経過時間の表示欄を遅い点滅をさせながらカウントアップするようにすれば同様の機能を達成できる。
【符号の説明】
【００４１】
１，１Ａ…遠心機、２…筐体、２ａ…仕切り板、３…ボウル、４…回転室、５…ロータ、６…モータ、６ａ…回転軸、７…ドア、８…制御装置、９…冷却装置、９ａ…圧縮機、９ｂ…凝縮機、９ｃ〜９ｅ…銅パイプ、１０…操作パネル、１１…脚部、１２…ダンパ、５０…設定画面、５０Ａ…表示画面、５０Ｂ…設定画面、５１…回転速度表示領域、５２…回転速度、５３…設定回転速度、５４…運転時間表示領域、５５…運転時間、５６…設定運転時間、５７…温度表示領域、５８…現在温度、５９…設定温度、６０…ロータ種別表示部、６１…ＡＣＣＥＬ表示部、６２…ＤＥＣＥＬ表示部、６３…スタートボタン、６４…オープンボタン、７０，７０Ａ…通知画面、７１…経過時間表示欄、７２…単位説明欄、７３…経過時間、１１８…コンプレッサ、１１９…冷却ファン、１２１…中央処理装置、１２２…記憶装置（記憶部）、１２４…通信インターフェース、１２５…無線ＬＡＮ、１２６…近接通信手段、１３０…データバス、１３１…モータ用インバータ、１３２…コンプレッサ用インバータ、１３４…ＵＳＢインターフェース、１３５…駆動回路、１３６…スピーカー、１３７…ＵＳＢコネクタ、１３８…ＬＡＮコネクタ、３００…携帯通信端末、３０１…画面、３０２…終了メッセージ、３０３…遠心機型名、３０４…ロータ型名、３０５…運転停止時間、３０６…経過時間表示欄、３０７…経過時間、３０８…アイコン
【図１】
2021131216.tif 000003
【図２】
2021131216.tif 000004
【図３】
2021131216.tif 000005
【図４】
2021131216.tif 000006
【図５】
2021131216.tif 000007
【図６】
2021131216.tif 000008
【図７】
2021131216.tif 000009
【図８】
2021131216.tif 000010
【図９】
2021131216.tif 000011
【図１０】
2021131216.tif 000012
【国際調査報告】
2021131216.tif 000013
2021131216.tif 000014
2021131216.tif 000015
2021131216.tif 000016
2021131216.tif 000017
2021131216.tif 000018